(57)【要約】【課題】ＭＯＶＥ（移動）中の認証鍵交換処理エラーの発生を未然に防止することを実現した通信装置を提供する。【解決手段】ＨＤＤレコーダ１は、著作権保護されたコンテンツ（保護コンテンツ）を含むコンテンツリストをＰＣ３ａおよびデジタルＴＶ装置３ｂ向けに公開しており、例えばＰＣ３ａとの間で保護コンテンツのＭＯＶＥ（移動）を開始すると、その一覧から保護コンテンツを削除するためのコンテンツリストの更新を実行する。また、ＨＤＤレコーダ１は、この保護コンテンツのＭＯＶＥ（移動）が終了すると、削除した保護コンテンツを一覧に復帰させるためのコンテンツリストの更新を再実行する。【選択図】      図２
2007096801.tif 000002
【特許請求の範囲】
【請求項１】
著作権保護の有無を示す属性情報を有するコンテンツ、及びこのコンテンツの一覧を示したリストを記憶する記憶手段と、
他の通信装置との間で互いの装置を識別する認証鍵を取得し合って前記他の通信装置を認証する認証鍵交換手段と、
前記リストの中から著作権保護有のコンテンツが選択された場合、前記認証鍵交換手段による新たな認証の受け付けを中止し、選択された前記著作権保護有のコンテンツを前記認証鍵を用いて暗号化して前記認証鍵交換手段により認証した前記他の通信装置に前記ネットワーク経由で移動させる保護コンテンツ移動手段と、
前記保護コンテンツ移動手段によるコンテンツの移動が行われている最中には、前記リストの一覧の中から著作権保護有のコンテンツを削除するコンテンツリスト管理手段と、
を具備することを特徴とする通信装置。
【請求項２】
前記コンテンツリスト管理手段は、前記保護コンテンツ移動手段によるコンテンツの移動が終了した場合に、前記リストに前記著作権保護有のコンテンツを復帰させることを特徴とする請求項１記載の通信装置。
【請求項３】
前記ネットワークはＩＰ（Internet Protocol）ネットワークであり、ＤＴＣＰ（Digital Transmission Content Protection）−ＩＰおよびＤＬＮＡ（digital living network alliance）に準拠したことを特徴とする請求項１または２記載の通信装置。
【請求項４】
送信装置と受信装置との間でコンテンツをネットワーク経由で送受信するコンテンツ送受信システムにおいて、
前記送信装置は、
著作権保護の有無を示す属性情報を有するコンテンツ、及びこのコンテンツの一覧を示したリストを記憶する記憶手段と、
他の通信装置との間で互いの装置を識別する認証鍵を取得し合って前記他の通信装置を認証する認証鍵交換手段と、
前記リストの中から著作権保護有のコンテンツが選択された場合、前記認証鍵交換手段による新たな認証の受け付けを中止し、選択された前記著作権保護有のコンテンツを前記認証鍵を用いて暗号化して前記認証鍵交換手段により認証した前記他の通信装置に前記ネットワーク経由で移動させる保護コンテンツ移動手段と、
前記保護コンテンツ移動手段によるコンテンツの移動が行われている最中には、前記リストの一覧の中から著作権保護有のコンテンツを削除するコンテンツリスト管理手段と、
を具備し、
前記受信装置は、
前記記憶手段に記憶された前記リストを取得するコンテンツリスト取得手段と、
前記コンテンツリスト取得手段により取得された前記リストの一覧の中から、著作権保護有のコンテンツを削除したリストを表示するコンテンツリスト表示手段と、
を具備することを特徴とするコンテンツ送受信システム。
【請求項５】
前記コンテンツリスト表示手段は、前記コンテンツリスト取得手段により取得された前記リストの一覧において、著作権保護有のコンテンツには利用できない状態にある旨を示す情報を表示することを特徴とする請求項４記載のコンテンツ送受信システム。
【請求項６】
著作権保護の有無を示す属性情報を有するコンテンツ、及びこのコンテンツの一覧を示したリストを記憶し、
他の通信装置との間で互いの装置を識別する認証鍵を取得し合って前記他の通信装置を認証し、
前記リストの中から著作権保護有のコンテンツが選択された場合、前記認証鍵交換手段による新たな認証の受け付けを中止し、選択された前記著作権保護有のコンテンツを前記認証鍵を用いて暗号化して認証した前記他の通信装置に前記ネットワーク経由で移動させ、
前記著作権保護有のコンテンツの移動が行われている最中には、前記リストの一覧の中から著作権保護有のコンテンツを削除する
ことを特徴とするコンテンツリスト管理方法。
【請求項７】
前記著作権保護有のコンテンツの移動が終了した場合に、前記リストに前記著作権保護有のコンテンツを復帰させることを特徴とする請求項５記載のコンテンツリスト管理方法。
【発明の詳細な説明】
【技術分野】
【０００１】
この発明は、著作権保護されたコンテンツを含む各種コンテンツをネットワーク経由で送受信する通信装置の動作制御技術に関する。
【背景技術】
【０００２】
近年、ＨＤＤレコーダやデジタルＴＶ装置等のいわゆるデジタル家電製品のネットワーク化が進んでいる。そして、このような状況に対応すべく、デジタル家電製品間でコンテンツをやり取りするためのガイドライン策定がＤＬＮＡ（digital living network alliance）などの標準化団体によって進められている（非特許文献１参照）。
【０００３】
また、最近では、ＩＰ（Internet Protocol）ネットワーク経由で著作権保護されたコンテンツを送受信することも開始され、このコンテンツの保護技術の１つとして、ＤＴＣＰ（Digital Transmission Content Protection）−ＩＰが広く採用されている（非特許文献２参照）。
【非特許文献１】http://www.dlna.org
【非特許文献２】http://www.dtcp.com
【発明の開示】
【発明が解決しようとする課題】
【０００４】
例えばＨＤＤレコーダに保有された映画等のコンテンツをデジタルＴＶ装置で鑑賞する場合を考えると、ＤＬＮＡに準拠した手順では、まず、デジタルＴＶ装置がＨＤＤレコーダのコンテンツリストを参照する。このコンテンツリストには、ＨＤＤレコーダが保有する全コンテンツの一覧が示されているので、ユーザは、その中から見たいと思うコンテンツを適宜に選択する。
【０００５】
もし、そのコンテンツが著作権保護されたコンテンツであった場合、ネットワーク経由で送受信するためには暗号化が必要となる。ＤＴＣＰ−ＩＰでは、送信側機器（Ｓｏｕｒｃｅ機器）と受信側機器（Ｓｉｎｋ機器）との間で認証鍵交換処理を行い、この認証鍵交換処理で取得した認証鍵を用いた暗号化おより復号化を実行する。
【０００６】
また、この著作権保護されたコンテンツは、複製が禁止されるので、その保有場所を変える場合には、ＭＯＶＥ（移動）と称される処理が実行される。移動元は、コンテンツの送出と同時に削除を行うので失敗は許されない。そこで、このＭＯＶＥ（移動）を行っている場合には、著作権保護されたコンテンツの取り扱いをＭＯＶＥ（移動）中のコンテンツのみに限定して、他の機器との間の新たな認証鍵交換処理を一切受け付けないようになっている。
【０００７】
ところで、例えばＰＣとの間でＭＯＶＥ（移動）を行っているＨＤＤレコーダ（ＰＣに著作権保護されたコンテンツを送出しているＨＤＤレコーダ）のコンテンツリストをデジタルＴＶ装置で参照し、かつ、その中から著作権保護されたコンテンツを見ようとして選択したとする。この場合、当該コンテンツの暗号化および復号化のために認証鍵交換処理を行う必要があるが、ＨＤＤレコーダは新たな認証鍵交換処理を受け付けない。ＰＣとの間のＭＯＶＥ（移動）など知らないデジタルＴＶ装置のユーザには、あたかも認証鍵交換処理自体が何らかの不具合で失敗したかのように見えてしまうおそれもある。
【０００８】
この発明は、このような事情を考慮してなされたものであり、ＭＯＶＥ（移動）中の認証鍵交換処理エラーの発生を未然に防止することを実現した通信装置、コンテンツ送受信システムおよび通信装置のコンテンツリスト管理方法を提供することを目的とする。
【課題を解決するための手段】
【０００９】
前述した目的を達成するために、この発明の通信装置は、著作権保護の有無を示す属性情報を有するコンテンツ、及びこのコンテンツの一覧を示したリストを記憶する記憶手段と、他の通信装置との間で互いの装置を識別する認証鍵を取得し合って前記他の通信装置を認証する認証鍵交換手段と、前記リストの中から著作権保護有のコンテンツが選択された場合、前記認証鍵交換手段による新たな認証の受け付けを中止し、選択された前記著作権保護有のコンテンツを前記認証鍵を用いて暗号化して前記認証鍵交換手段により認証した前記他の通信装置に前記ネットワーク経由で移動させる保護コンテンツ移動手段と、前記保護コンテンツ移動手段によるコンテンツの移動が行われている最中には、前記リストの一覧の中から著作権保護有のコンテンツを削除するコンテンツリスト管理手段と、を具備することを特徴とする。
【００１０】
また、この発明のコンテンツ送受信システムは、送信装置と受信装置との間でコンテンツをネットワーク経由で送受信するコンテンツ送受信システムにおいて、前記送信装置は、著作権保護の有無を示す属性情報を有するコンテンツ、及びこのコンテンツの一覧を示したリストを記憶する記憶手段と、他の通信装置との間で互いの装置を識別する認証鍵を取得し合って前記他の通信装置を認証する認証鍵交換手段と、前記リストの中から著作権保護有のコンテンツが選択された場合、前記認証鍵交換手段による新たな認証の受け付けを中止し、選択された前記著作権保護有のコンテンツを前記認証鍵を用いて暗号化して前記認証鍵交換手段により認証した前記他の通信装置に前記ネットワーク経由で移動させる保護コンテンツ移動手段と、前記保護コンテンツ移動手段によるコンテンツの移動が行われている最中には、前記リストの一覧の中から著作権保護有のコンテンツを削除するコンテンツリスト管理手段とを具備し、前記受信装置は、前記記憶手段に記憶された前記リストを取得するコンテンツリスト取得手段と、前記コンテンツリスト取得手段により取得された前記リストの一覧の中から、著作権保護有のコンテンツを削除したリストを表示するコンテンツリスト表示手段と、を具備することを特徴とする。
【００１１】
また、この発明のコンテンツリスト管理方法は、著作権保護の有無を示す属性情報を有するコンテンツ、及びこのコンテンツの一覧を示したリストを記憶し、他の通信装置との間で互いの装置を識別する認証鍵を取得し合って前記他の通信装置を認証し、前記リストの中から著作権保護有のコンテンツが選択された場合、前記認証鍵交換手段による新たな認証の受け付けを中止し、選択された前記著作権保護有のコンテンツを前記認証鍵を用いて暗号化して認証した前記他の通信装置に前記ネットワーク経由で移動させ、前記著作権保護有のコンテンツの移動が行われている最中には、前記リストの一覧の中から著作権保護有のコンテンツを削除することを特徴とする。
【発明の効果】
【００１２】
この発明によれば、ＭＯＶＥ（移動）中の認証鍵交換処理エラーの発生を未然に防止することを実現した通信装置、コンテンツ送受信システムおよび通信装置のコンテンツリスト管理方法を提供することができる。
【発明を実施するための最良の形態】
【００１３】
以下、図面を参照してこの発明の実施形態について説明する。図１は、本実施形態のコンテンツ送受信システムの構成例を示す図である。
【００１４】
図１に示されたＨＤＤレコーダ１、パーソナルコンピュータ（ＰＣ）３ａ、デジタルＴＶ装置３ｂは、ルータ２によって拡張自在なＩＰネットワーク経由でコンテンツを送受信する機能を有するＤＴＣＰ−ＩＰ対応機器であり、ＨＤＤレコーダ１は、種々のコンテンツを保有するＳｏｕｒｃｅ機器、ＰＣ３ａおよびデジタルＴＶ装置３ｂは、ＨＤＤレコーダ１のコンテンツを利用するＳｉｎｋ機器としてそれぞれ動作する。
【００１５】
Ｓｉｎｋ機器であるＰＣ３ａおよびデジタルＴＶ装置３ｂは、まず、Ｓｏｕｒｃｅ機器であるＨＤＤレコーダ１に対して、保有するコンテンツの一覧が示されたコンテンツリストの転送を要求する。このコンテンツリストを取得すると、ＰＣ３ａおよびデジタルＴＶ装置３ｂは、コンテンツリスト上の全コンテンツを選択肢としたメニュー表示を行い、その中から選択指示されたコンテンツの転送をＨＤＤレコーダ１に要求する。
【００１６】
各コンテンツは、著作権保護の有無を示す属性情報を有しており、選択されたコンテンツが著作権保護有のコンテンツであった場合、Ｓｉｎｋ機器であるＰＣ３ａおよびデジタルＴＶ装置３ｂとＳｏｕｒｃｅ機器であるＨＤＤレコーダ１との間で認証鍵交換処理が行われ、当該コンテンツをＩＰネットワーク経由で送受信するにあたり、互いに取得し合った認証鍵を用いた当該コンテンツの暗号化がＨＤＤレコーダ１によって行われ、また、その復号化がＰＣ３ａおよびデジタルＴＶ装置３ｂで行われる。
【００１７】
また、ＨＤＤレコーダ１に保有された著作権保護有のコンテンツの１つを例えばＰＣ３ａにＭＯＶＥ（移動）させる場合、ＨＤＤレコーダ１は、これ以降の他の機器、具体的にはデジタルＴＶ装置３ｂとの間の認証鍵交換処理の受け付けを拒否するようになる。
【００１８】
つまり、ＨＤＤレコーダ１とＰＣ３ａとの間でＭＯＶＥ（移動）が行われている間、デジタルＴＶ装置３ｂでは、ＨＤＤレコーダ１に保有された著作権保護有のコンテンツを利用することができず、かつ、認証鍵交換処理の失敗を発生させてしまう。そこで、本実施形態のコンテンツ送受信システムにおいてＳｏｕｅｃｅ機器として動作するＨＤＤレコーダ１は、例えばＰＣ３ａとの間でＭＯＶＥ（移動）を実行中、デジタルＴＶ装置３ｂに認証鍵交換処理の失敗を発生させない仕組みを備えるようにしたものである（デジタルＴＶ装置３ｂとの間でＭＯＶＥ（移動）を実行中、ＰＣ３ａに認証鍵交換処理の失敗を発生させないものであることも言うまでもない）。以下、この仕組みについて詳述する。
【００１９】
図２は、ＨＤＤレコーダ１、ＰＣ３ａ、デジタルＴＶ装置３ｂの動作の流れの一例を示すタイミングチャートである。ここでは、まず、ＰＣ３ａが、ＨＤＤレコーダ１のコンテンツリストを参照したものと想定する（図２（１））。この時、ＨＤＤレコーダ１は、著作権保護有のコンテンツ（保護コンテンツ）を一覧に含むコンテンツをＰＣ３ａおよびデジタルＴＶ装置３ｂ向けに公開している。そして、この保護コンテンツを含むコンテンツリストを参照したＰＣ３ａが、その一覧の中の保護コンテンツを自機器へＭＯＶＥ（移動）させることになったものとする。
【００２０】
この場合、保護コンテンツをＩＰネットワーク経由で送受信することになるＨＤＤレコーダ１とＰＣ３ａとの間で認証鍵交換処理が行われることになり（図２（２））、その終了後、ＰＣ３ａからＨＤＤレコーダ１に保護コンテンツのＭＯＶＥ（移動）要求が通知されることになる（図２（３））。
【００２１】
一方、この通知を受けたＨＤＤレコーダ１は、ＰＣ３ａとの間で互いに取得し合った認証鍵を用いて暗号化を施しながら、要求された保護コンテンツのＰＣ３ａへの送信を開始する（図２（４））。そして、この保護コンテンツのＭＯＶＥ（移動）を開始した際、ＨＤＤレコーダ１は、前述した新たな認証鍵交換処理の受け付け禁止に加え、公開するコンテンツリストの更新を実行する（図２（５））。
【００２２】
このコンテンツリストの更新が、デジタルＴＶ装置３ｂに認証鍵交換処理の失敗を発生させないためにＨＤＤレコーダ１で行う処理であり、より具体的に説明すると、コンテンツリストとして公開する一覧の中から保護コンテンツを一時的に削除する。つまり、デジタルＴＶ装置３ｂがコンテンツリストを参照した際（図２（６））、認証鍵交換処理を必要としない、著作権保護がなされていないコンテンツのみが存在している状態とすることにより、認証鍵交換処理そのものを発生させないようにし、認証鍵交換処理の失敗を未然に防ぐことを実現する。
【００２３】
その後、この保護コンテンツのＭＯＶＥ（移動）が終了すると（図２（７））、ＨＤＤレコーダ１は、一時的に削除した保護コンテンツ（ＭＯＶＥ（移動）の対象となった保護コンテンツ以外の保護コンテンツ）を一覧に復帰させるべく、コンテンツリストの更新を再実行する（図２（８））。これにより、デジタルＴＶ装置３ｂからの保護コンテンツの利用が可能となる。
【００２４】
図３は、このＭＯＶＥ（移動）中の認証処理失敗防止に関わるＨＤＤレコーダ１の構成を示すブロック図である。図３に示すように、ＨＤＤレコーダ１は、制御部１１、認証鍵交換処理部１２、保護コンテンツ移動処理部１３、コンテンツリスト管理部１４および記憶部１５を有している。
【００２５】
制御部１１は、ＨＤＤレコーダ１全体の制御を司る。認証鍵交換処理部１２は、ＩＰネットワーク経由で接続されるＰＣ３ａまたはデジタルＴＶ装置３ｂとの間の認証鍵交換処理を実行する。保護コンテンツ移動処理部１３は、記憶部１５に保有されたコンテンツａのうち、著作権保護有のコンテンツをＰＣ３ａまたはデジタルＴＶ装置３ｂに送信すると共に記憶部１５からは削除するＭＯＶＥ（移動）を実行する。コンテンツリスト管理部１４は、記憶部１５に保有されたコンテンツリストの一覧から保護コンテンツを一時的に削除したり、この削除した保護コンテンツをコンテンツリストｂの一覧に復帰させるための更新を実行する。そして、記憶部１５は、コンテンツａおよびコンテンツリストｂを保有する記憶媒体である。前述したように、各コンテンツａには、著作権保護の有無を示す属性情報が内包されている。
【００２６】
保護コンテンツ移動処理部１３は、ＰＣ３ａまたはデジタルＴＶ装置３ｂとの間でＭＯＶＥ（移動）を開始すると、その旨を認証鍵交換処理部１２とコンテンツリスト管理部１４に通知する。この通知を受けた認証鍵交換処理部１２は、それ以降の新たな認証鍵交換処理の受け付けを拒否し、また、コンテンツリスト管理部１４は、保護コンテンツａを一時的に一覧から削除するためのコンテンツリストｂの更新を実行する。
【００２７】
保護コンテンツ移動処理部１３は、このＭＯＶＥ（移動）が終了した際にも、その旨を認証鍵交換処理部１２とコンテンツリスト管理部１４に通知する。そして、この通知を受けた認証鍵交換処理部１２は、新たな認証鍵交換処理の受け付けを再開し、また、コンテンツリスト管理部１４は、一時的に削除した保護コンテンツａを一覧に復帰させるためのコンテンツリストｂの更新を再実行する。
【００２８】
これにより、例えば記憶部１５に”コンテンツ１”、”コンテンツ２”、”コンテンツ３”、”コンテンツ４”の４つのコンテンツが保有され、かつ、この中の”コンテンツ２”および”コンテンツ３”が著作権保護有のコンテンツであったとすると、ＰＣ３ａおよびデジタルＴＶ装置３ｂに公開されるコンテンツリストは、ＭＯＶＥ（移動）が開始されるまでは図４（Ａ）に示すようになり、ＭＯＶＥ（移動）が開始されると、図４（Ｂ）に示すようになる。ＭＯＶＥ（移動）中に公開されるコンテンツリストからは著作権保護有の”コンテンツ２”および”コンテンツ３”が削除されているので、認証鍵交換処理の失敗を未然に防止できる。
【００２９】
図５は、本実施形態のコンテンツ送受信システムにおいてＳｏｕｒｃｅ機器として動作するＨＤＤレコーダ１の動作手順を示すフローチャートである。
【００３０】
ＨＤＤレコーダ１は、ＰＣ３ａまたはデジタルＴＶ装置３ｂとの間でＭＯＶＥ（移動）を開始すると（ステップＳ１）、その一覧から保護コンテンツを一時的に削除するためのコンテンツリストの更新を実行する（ステップＳ２）。
【００３１】
そして、ＨＤＤレコーダ１は、このＭＯＶＥ（移動）が終了すると（ステップＳ３のＹＥＳ）、ステップＳ２で一時的に削除した保護コンテンツを一覧に復帰させるためのコンテンツリストの更新を再実行する（ステップＳ４）。
【００３２】
これにより、例えばＰＣ３ａとの間でＭＯＶＥ（移動）を実行中、デジタルＴＶ装置３ｂが認証鍵交換処理の失敗を発生させることを未然に防止することが実現される。
【００３３】
なお、前述の実施形態では、ＭＯＶＥ（移動）を実行中のＨＤＤレコーダ１側でコンテンツリストの一覧から保護コンテンツを削除する例を説明したが、これに代えて、ＨＤＤレコーダ１側では、例えば現在利用不可の状態にある旨を示す属性情報を付加するようにしてもよい。そして、デジタルＴＶ装置３ｂ（またはＰＣ３ａ側）で、この属性情報に基づくコンテンツリストの表示制御を実行する。
【００３４】
図６は、この属性情報が付加されたコンテンツリストを参照するデジタルＴＶ装置３ｂの構成を示すブロック図である。図６に示すように、デジタルＴＶ装置３ｂは、制御部３１、コンテンツリスト表示処理部３２、コンテンツ再生処理部３３、認証鍵交換処理部３４および表示部３５を有している。
【００３５】
制御部３１は、デジタルＴＶ装置３ｂ全体の制御を司る。コンテンツリスト表示制御部３２は、ＨＤＤレコーダ１からコンテンツリストｂを取得して表示部３５に表示する。コンテンツ再生処理部３３は、ＨＤＤレコーダ１から転送されるコンテンツａを再生して表示部３５に表示する。認証鍵交換処理部３４は、ＩＰネットワーク経由で接続されるＨＤＤレコーダ１との間の認証鍵交換処理を実行する。表示部３５は、例えばＬＣＤ（Liquid Crystal Display）等のディスプレイ装置である。
【００３６】
そして、コンテンツリスト表示処理部３２は、ＨＤＤレコーダ１から取得したコンテンツリストを表示する際、例えば図７に示すように、（ＭＯＶＥ（移動）対象以外の）保護コンテンツの存在を提示しつつ、付加された属性情報に基づき、現在利用不可の状態である旨を併せて報知する、これによって、著作権保護有のコンテンツが選択されないようにできるので、前述の実施形態と同様、認証鍵交換処理の失敗を未然に防ぐ。
【００３７】
また、コンテンツリスト表示処理部３２が、この属性情報が付加された保護コンテンツをコンテンツリストから削除するようにしてもよい。
【００３８】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】この発明の実施形態に係るコンテンツ送受信システムの構成例を示す図
【図２】同実施形態のＨＤＤレコーダ、ＰＣおよびデジタルＴＶ装置の動作の流れの一例を示すタイミングチャート
【図３】同実施形態のＨＤＤレコーダのＭＯＶＥ（移動）中の認証処理失敗防止に関わる構成を示すブロック図
【図４】同実施形態のＨＤＤレコーダが実行するコンテンツリストの更新の効果を説明するための図
【図５】同実施形態のＨＤＤレコーダの動作手順を示すフローチャート
【図６】同実施形態のコンテンツ送受信システムの一変形例に係るデジタルＴＶ装置の構成を示すブロック図
【図７】同実施形態のコンテンツ送受信システムにおけるコンテンツリストの更新の一変更例を説明するための図
【符号の説明】
【００４０】
１…ＨＤＤレコーダ、２…ルータ、３ａ…パーソナルコンピュータ（ＰＣ）、３ｂ…デジタルＴＶ装置、１１…制御部、１２…認証鍵交換処理部、１３…保護コンテンツ移動処理部、１４…コンテンツリスト管理部、１５…記憶部、ａ…コンテンツ、ｂ…コンテンツリスト、３１…制御部、３２…コンテンツリスト表示処理部、３３…コンテンツ再生処理部、３４…認証鍵交換処理部、３５…表示部。
【図１】
2007096801.tif 000003
【図２】
2007096801.tif 000004
【図３】
2007096801.tif 000005
【図４】
2007096801.tif 000006
【図５】
2007096801.tif 000007
【図６】
2007096801.tif 000008
【図７】
2007096801.tif 000009